【事件の表示】
　平成　９年特許願第３６４９４１号「ガス分析計」拒絶査定不服審判事件〔平成１１年　７月　９日出願公開、特開平１１−１８３３８６〕について、次のとおり審決する。
【結　論】
　本件審判の請求は、成り立たない。
【理　由】
I．出願の経緯
　本願は、平成９年１２月１８日の出願であって、平成１５年１０月１７日付けで拒絶理由が通知され、これに対し同年１２月２６日付けで意見書とともに手続補正書が提出され、平成１６年７月２９日付けで最後の拒絶理由が通知され、これに対し同年１０月８日付けで意見書とともに手続補正書が提出されたが、平成１７年４月２８日付け補正の却下の決定で平成１６年１０月８日付け手続補正書による手続補正が却下されるとともに、同日付で拒絶査定がなされ、これに対し平成１７年７月１日付けで審判請求がなされ、同年７月２９日付けで手続補正書及び審判請求書の手続補正書が提出されたものである。
　
II．補正却下の決定
[補正却下の決定の結論]
　平成１７年７月２９日付けの手続補正（以下、「本件補正」という。）を却下する。
　
[理由]
１．補正の内容
　本件補正は、明細書全文についてするもので、そのうち、特許請求の範囲については、補正前の特許請求の範囲（平成１５年１２月２６日付けの手続補正による）：
「サンプルガスを導入するセルの一端側に紫外線を発生させるための光源が設けられ、その光源から照射される紫外線を集光レンズによって前記セル内で集光させ、前記サンプルガス中のＳＯ２成分によってその集光部で発生する紫外線螢光を前記セルの側部に設けた光検出手段で検出するようにした紫外線螢光法を用いたガス分析計において、前記セルの他端側内部で光源に対向する箇所に、円錐状で、その表面には黒色塗装が施され、前記セルの中央部で集光後に広がりつつ円錐状表面に照射される紫外線を吸収するとともに、反射により減衰させる迷光発生低減用の光学トラップを設けたことを特徴とするガス分析計。」を、
「サンプルガスを導入するセルの一端側に紫外線を発生させるための光源が設けられ、その光源から照射される紫外線を集光レンズによって前記セル内
の中央部
光軸に垂直な壁面
その頂部に相当する部分が開口し紫外線の一部を通過させ、かつ、表面
また、前記光検出手段に対向するセルの中央部内周壁面部分には凹部が形成されている
　
　本件補正は、以下の補正事項を含むものである。
（補正事項１）光学トラップの構成について、本件補正前の請求項１における「円錐状で、その表面には黒色塗装が施され」を「円錐状でその頂部に相当する部分が開口し紫外線の一部を通過させ、かつ、表面には黒色塗装が施され」とする補正。
（補正事項２）本件補正前の請求項１に「前記光検出手段に対向するセルの中央部内周壁面部分には凹部が形成されている」の記載を追加する補正。
（補正事項３）本件補正前の請求項１の「前記セル内で集光させ」を「前記セル内の中央部で集光させ」とする補正。
（補正事項４）本件補正前の請求項１の「前記セルの他端側内部で光源に対向する箇所に」を「前記セルの他端側内部で光源に対向する光軸に垂直な壁面に」とする補正。
　
２．新規事項の追加の有無についての検討
　上記補正事項１について、本願の願書に最初に添付した図面（以下「当初図面」という）の図１には光学トラップの縦断面図が、図２には斜視図が記載されており、また審判請求人は、平成１７年７月２９日付け手続補正書によって補正された審判請求書（以下「審判請求書」という）の請求の理由の「３．（１）」で、図１において、ハッチングの挿入されている箇所は、肉厚のある円錐状壁部を表している一方、ハッチングの挿入がなく、単なる一本線が引かれている箇所、すなわち、トラップ頂部に相当する部分は壁のない開口を表していると主張している。しかし、当初図面の図１の記載では、光学トラップの内部が紫外線の一部を通過させるように中空の構造を有しているかどうかは明らかでなく、当初図面の図２の記載をみても、図２の光学トラップの頂部の斑点のない部分は、単に黒色塗装がされていないことを示すとも理解でき、してみれば、当初図面から、光学トラップが「その頂部に相当する部分が開口し紫外線の一部を通過させ光学トラップの内部が紫外線の一部を通過させ」る構造を有することが当業者にとって自明であるとはいえない。
　また、本願の願書に最初に添付した明細書には、光学トラップについて、段落【０００９】に「円錐状に形成され、その表面には黒色塗装が施され、その表面に紫外線が照射されると、黒色塗装によって吸収されつつ反射してゆくうちに減衰されるようになっており」としか記載されておらず、本願の願書に最初に添付した明細書には「その頂部に相当する部分が開口し紫外線の一部を通過させ」ることについての記載はない。
　
　上記補正事項２について、当初図面の図１には、集光レンズ７の下部に「Ａ」が示す矢印の近辺を囲むように記載されている線が存在し、また審判請求人は、審判請求書の請求の理由の「３．（２）」で、当初図面の図１において、セル１の「中央部Ａ」を囲むように記載されている線が「凹部」の両縁部及び底部を指し示す線であることは当業者であれば当然理解することができると主張している。しかし、ガス分析計の断面図である図１の記載だけでは、セル１の「中央部Ａ」を囲むように記載されている線がセルの内周壁面部分に設けられている凹部を示すのかどうかは明らかでなく、当初図面から、本願のガス分析計について「光検出手段に対向するセルの中央部内周壁面部分には凹部が形成されている」ことが当業者にとって自明であるとはいえない。
　また、本願の願書に最初に添付した明細書には、「光検出手段に対向するセルの中央部内周壁面部分には凹部が形成されている」こと、及び、図１における「中央部Ａ」を囲むように記載されている線について説明する記載はない。
　
３．本件補正についてのむすび
　したがって、この手続補正は、願書に最初に添付した明細書又は図面に記載した事項の範囲内においてしたものではないので、平成１８年改正前特許法第１７条の２第３項の規定により違反するものであり、同法第１５９条第１項によって読み替えて準用する同法第５３条第１項の規定により却下されるべきものである。
　
　
III．本願発明について
１．本願発明
 　平成１７年７月２９日付けの手続補正は上記のとおり却下されたので、本願の請求項１に係る発明は、平成１５年１２月２６日付けの手続補正書により補正された明細書の特許請求の範囲の請求項１に記載されたとおりのものであるところ、請求項１に係る発明（以下「本願発明」という。）は、上記II．［理由］１．に本件補正前の特許請求の範囲として掲げたとおりのものである。
　
２．引用刊行物
　
（１）原査定の拒絶の理由に引用された、本願出願日前の昭和５１年４月１９日に頒布された特開昭５１−４５５８１号公報（以下、「刊行物１」という）には、「環境用ＳＯ２螢光分析計」について、図面とともに次の事項が記載されている。
　
「第２図に本発明によるゼロレベル設定装置を取付けた環境用ＳＯ２螢光分析計を示す。２１は励起光源で亜鉛ランプを使用する。ランプからの光をレンズ２２により集光し、螢光セル２５の中に絞り込む。励起光はレーリーホーン２６によりトラップする。２４は螢光セルの窓で熔融石英製のものを使う。２３は励起波長選択用の干渉フイルタである。螢光散乱は側方から観測し、励起波長カット用フイルタ２８、ハニカム２９を介して光電子増倍管３０で受ける。ハニカムは光電子増倍管の受光面の視野を螢光セルの中央部分に限り、セルの壁からくる散乱光（これは迷光となる）を減少させるためのものである。受光面の対向面には迷光低減化用レーリーホーンを取り付ける。
・・・
ゼロガスはガス入口３９からセル内に入り、２個のレーリーホーンの先端２６，２７から出てゆく。３８は試料ガスを螢光セルに吸引するための空気ポンプである。」（第２ページ左上欄７行−右上欄１１行）
　
　そして、刊行物１の第２図には上記の記載に対応した構成が図示され、螢光セル２５、励起光源２１、レンズ２２、螢光セルの側方で光の集光部付近に設けられた光電子増倍管３０、励起光源２１とは反対側の螢光セル２５の端部に設けられ、集光部において集光した後広がる光を反射、吸収して光をトラップするレーリーホーン２６が図示されている。
　
（２）同じく原査定の拒絶の理由に引用された、本願出願日前の昭和５１年５月１２日に頒布された特開昭５１−５３８８９号公報（以下、「刊行物２」という）には、光トラップに関して、次の事項が記載されている。
　
「本発明による煙検知器は光箱と、該光箱内に配置され、光箱内の照射部分の空気に混入している煙等の粒子による散乱光を受光するが光源よりの直接光は受光しないようにした感光素子とを具え、該光箱内に、前記照射部分が、感光素子と光トラップの間になるように光トラップを配置し、光トラップには光を吸収する円錐型表面を設け、その頂角を４５°〜９０°の角度範囲、とくに６０°とし、かつこれを感光素子の方向に指向せしめたことを特徴とする。
　円錐形部分の表面は光箱内の管と同軸とし、管の内面はつや消しの黒色塗装とするを可とする。」（第１ページ右下欄５−１６行）
　
（３）同じく原査定の拒絶の理由に引用された、本願出願日前の昭和６１年６月１３日に頒布された実願昭５９−１７５１６６号（実開昭６１−９１１５４号）のマイクロフィルム（以下、「刊行物３」という。）には、光トラップに関して、図面とともに次の事項が記載されている。
「第１図はこの考案による散乱光式煙感知器の１実施例の断面図で、１は回路部分などが収容される基台、２は基台１上に取り付けられた光源部で、この光源部２は発光ダイオードなどの発光素子２１とレンズ２２とを有し、ビーム状もしくはビーム状に近い光束（以下、略ビーム状の光束という）Ｌを放射する。３は光源部２と対向して基台１上に取り付けられた光束Ｌを吸収する光トラップで、この光トラップ３は入射する光束Ｌを横方向に反射する円錐状または断面三角上の反射面３１と、反射された光を吸収する壁面３２とで構成される。」（第５ページ１５行−第６ページ６行、第１図）
　
３．本願発明と刊行物１記載の発明との対比
（１）刊行物１記載の発明
　上記２．（１）より、刊行物１には、
「試料ガスが入れられる螢光セル、亜鉛ランプからなる励起光源、ランプからの光を集光するレンズ、光の集光部付近で螢光セルの側方に設けられた光電子増倍管、励起光源とは反対側の螢光セルの端部に設けられ、集光部において集光した後広がる光を反射、吸収して光をトラップするレーリーホーンを有する環境用ＳＯ２螢光分析計」（以下、「刊行物１記載の発明」という。）が記載されているものと認められる。
　
（２）対比
　そこで、本願発明と刊行物１記載の発明とを対比すると、刊行物１記載の発明における「試料ガス」、「螢光セル」、「ランプからの光を集光するレンズ」、「光の集光部付近で螢光セルの側方に設けられた光電子増倍管」、「環境用ＳＯ２螢光分析計」は、それぞれ、本願発明の「サンプルガス」、「セル」、「集光レンズ」、「セルの側部に設けた光検出手段」、「ガス分析計」に相当する。
　刊行物１記載の発明の「亜鉛ランプ」は、例えば、特開平８−８６７７２号公報の段落【０００４】、特開平７−３１８４２７号公報の段落【０００２】に記載されているように、紫外線の光源として通常使用されているものであり、本願発明の「紫外線を発生させるための光源」に相当する。
　また、刊行物１記載の「励起光源とは反対側の螢光セルの端部に設けられ、集光部において集光した後広がる光を反射、吸収して光をトラップするレーリーホーン」は、亜鉛ランプが照射する紫外光を反射、吸収するものであり、本願発明の「セルの他端側内部で光源に対向する箇所」に設けられ「セルの中央部で集光後に広がりつつ」「表面に照射される紫外線を吸収するとともに、反射により減衰させる迷光発生低減用の光学トラップ」に相当する。
　
　すると、本願発明と刊行物１記載の発明は、次の点で一致する。
＜一致点＞
「サンプルガスを導入するセルの一端側に紫外線を発生させるための光源が設けられ、その光源から照射される紫外線を集光レンズによって前記セル内で集光させ、前記サンプルガス中のＳＯ２ 成分によってその集光部で発生する紫外線螢光を前記セルの側部に設けた光検出手段で検出するようにした紫外線螢光法を用いたガス分析計において、前記セルの他端側内部で光源に対向する箇所に、前記セルの中央部で集光後に広がりつつ表面に照射される紫外線を吸収するとともに、反射により減衰させる迷光発生低減用の光学トラップを設けたことを特徴とするガス分析計。」
　
　一方で、両者は、次の点で相違する。
＜相違点＞
　本願発明の光学トラップは、「円錐状で、その表面には黒色塗装が施され」ているのに対して、刊行物１には、円錐状で表面に黒色塗装が施された光学トラップについての記載がない点。
　
（３）相違点についての検討
　円錐状の形状を有する光学トラップは、例えば、上記刊行物２（上記２．（２）参照）、刊行物３（上記２．（３）参照）に示されているように、従来周知のものである。
　また、光の吸収が必要な場所を黒色塗装することは、例えば、刊行物２（上記２．（２）参照）の、管の内面をつや消しの黒色塗装とする記載が示すように、本願出願時周知慣用の事項であり、また、光学トラップを黒色とすることも、例えば、特開平６−１９４１２０号公報（段落【００２０】を参照）、実願昭６２−１０３４号（実開昭６３−１１０９９２号）のマイクロフィルム（第２ページ１２−１９行を参照）、特開平５−３４６５５５号公報（段落【０００２】、【０００３】を参照）に記載されているように、従来周知の事項である。
　したがって、刊行物１記載の発明におけるレーリーホーンのかわりに従来周知である円錐状の光学トラップを採用し、さらに光学トラップの表面を黒色塗装することは、当業者が容易になし得る事項である。
　
　そして、本願発明の作用効果も、刊行物１記載の発明、及び上記周知の技術的事項から、当業者が予測できる範囲のものである。
　
　
４．むすび
　以上のとおり、本願発明は、刊行物１記載の発明、及び、周知の技術的事項に基づいて当業者が容易に発明をすることができたものであるから、特許法第２９条第２項の規定により特許を受けることができない。
　
　よって、結論のとおり審決する。